(57)【要約】【課題】  表面及び裏面を鏡面加工された反射板をコンパクトに折畳み、収納カバーでそれを覆い、携帯しやすいように携帯ホルダーを付し、携帯電話等と共に常時携帯しやすい折畳み展開可能な携帯用反射板の提供を目的とする。【解決手段】  表面及び裏面を鏡面加工された折畳みシート２を谷折り線５や山折り線６を介して縦横に連設すると共に、複数のシート片７が略重合状に折畳み、形態可能とするように前述の反射板の折畳み完成時より大きい、収納カバー３で該折畳みシート２覆い、該カバーに携帯用ホルダー４を付し、展開を容易にするために、前述の折畳みシートの折畳み完成時露出部分より一回り大きくかつ硬い一片１を添付して構成する。【選択図】図１
0003109887.tif 000002
【実用新案登録請求の範囲】
【請求項１】
表面及び裏面を鏡面加工された複数のシート片を谷折り線や山折り線を介して縦横に連設されると共に、複数のシート片が略重合状にコンパクトに折畳まれたものを、形態可能とするように前述のシートの折畳み完成時より大きい、収納カバーで覆い、該カバーに携帯用ホルダーを付したことを特徴とする折畳み展開可能な携帯用反射板。
【請求項２】
表面及び裏面を鏡面加工された複数のシート片を谷折り線や山折り線を介して縦横に連設されると共に、該シートの折畳み完成時に操作片を該露出部分に設けることで、展開自在となるよう形成される折畳みシートからなることを特徴とする請求項１記載の折畳み展開可能な携帯用反射板。
【考案の詳細な説明】
【技術分野】
【０００１】
本考案は、表面及び裏面を鏡面加工された折畳みシートを折畳み、その折畳んだシートを形態可能なように収納カバーで覆い、加えて、そのカバーに携帯用ホルダーを付す工夫をした反射板に関するものである。
【背景技術】
【０００２】
最近の携帯用電話機の普及率は、目を見張るものがあり、「一人一台」携帯用電話機を所有しているといっても過言ではない状況にある。
【０００３】
そして、前述のような携帯用電話に於いては、最近ほとんどのものがカメラ付のものであるが、反射板の機能の付されていないものが多いため、例えば、特許文献１に示すような提案がされるようになった。
【０００４】
特許文献１は、光源の周囲を４つの面で取り囲む４つの反射面を備えて構成され、これらの反射面の内、互いに相隣る２面若しくは対向する２面の反射角が他の面のそれとは異なる角に形成されている照明器具の反射板が考案されている。
【０００５】
【特許文献１】実公平７―２０８０６公報
【考案の開示】
【考案が解決しようとする課題】
【０００６】
ところが、前述の特許文献１において考案されている反射板にあっては、構成物自体が、コンパクトとはいえず、持ち運びに困難であるという難点を生じることがあった。
【０００７】
また、上述のような構成であるが故に、収納しづらいという難点を生じることがあった。
【０００８】
加えて、その構成のために、使用の際や携帯の際に構成物自体を破損するおそれがあるという難点を生じることもあった。
【０００９】
そこで、本考案は、前述の如き課題を解消し、コンパクトかつ携帯しやすく、収納にも適し、破損等のおそれのない反射板を提供するべく案出されたものである。
【課題を解決するための手段】
【００１０】
しかして、請求項１記載の折畳み展開可能な反射板にあっては、表面及び裏面を鏡面加工された複数のシート片７を谷折り線３や山折り線４を介して縦横に連設されると共に、複数のシート７が略重合状に折畳み、展開自在となるよう形成される折畳みシート２の折畳み完成時より大きい携帯用ホルダーの付された収納カバーで覆い、コンパクトで携帯しやすく、収納にも適し、破損等が生じるおそれのない構成をする手段を採用した。
【００１１】
加えて、前述の折畳みシート２を展開自在にするために、該折畳みシート２の折畳み完成時露出部分に操作片１を設ける手段を採用した。
【考案の効果】
【００１２】
従って、請求項１記載の折畳み展開可能な反射板によれば、例えば携帯用電話機のストラップ等として携帯用電話機と共に携帯することを可能とし、携帯しやすい反射板となる。しかも、反射板自体の構成が、コンパクトで収納に適しており、むろん使用及び携帯の際に破損等のおそれは生じない。
【００１３】
特に、折畳み完成状態は片手に収まるほどにコンパクトとなり、折畳みシートの完成時を覆う収納カバー３に携帯用ホルダー４が付されていることで、持ち運びしやすく、外観上の体裁も良いものとなり、ファッション性にも優れている。
【考案を実施するための最良の形態】
【００１４】
以下、本考案を図示例に基づいて説明すると、次の通りである。
本考案は、表面及び裏面を鏡面加工された折畳みシート２をコンパクトに折畳み、該折畳みシートの折畳み完成時より大きい収納カバー３で覆ったものに、携帯しやすいように携帯用ホルダー４を付し、例えば、携帯用電話機のストラップとして携帯用電話機と共に持ち運び可能なほどコンパクトかつ収納に適しており、破損等のおそれのない機能を備えた折畳み展開可能な携帯用反射板である。
【００１５】
そして、この折畳みシート２は、複数の略矩形状（例えば、平行四辺形状、台形状、或いは長方形状）を呈するシート片７を谷折り線３や山折り線４を介して縦横に連設されると共に、複数のシート片７が略重合状に折畳み、展開自在となるよう形成され、且つ展開状態が略矩形状を呈する折畳みシート２で構成されている。
【００１６】
更に、折畳みシート２の折畳み完成時露出部分に操作片１を設けることで、収納にも適し、破損等のおそれのないように構成されたものである。
【実施例】
【００１７】
本考案の携帯用反射板は、表面及び裏面を鏡面加工された複数のシートにより構成されており、それらのシートは、例えば適宜紙材や、適宜合成樹脂製シート材や、或いは、これらの複合材等によって、全体略矩形状（或いは、その他の形状でも良い）に形成され、しかも、この折畳みシート２に複数の谷折り線３と山折り線４とを略縦横方向に沿って適宜配することで、複数のシート片５が形成され、このシート片７夫々が重なるように折畳め、更に、折畳みシート２の折畳み完成時露出部分に操作片１この折畳み状態からスムーズに展開状態に移行できるよう構成されている。尚、前記鏡面加工は、例えば反射率の高いフィルムを貼着したり、反射率の高い材料を塗布したりする手段が採用される。前記反射率の高いフィルムは、例えば、樹脂シートでもよいし、金属箔などでもよい。
【００１８】
また、収納カバー３は、折畳みシート２の折畳み完成時より大きく、さらに、携帯用ホルダー４が付されており、折畳みシート２を覆えるように形成されている。しかも、コンパクトで持ち運びやすくし、例えば携帯用電話ストラップとして使用してもよいし、キーホルダー等として使用してもよい。
【００１９】
前記折畳みシート２は、例えば、適宜紙材や、適宜合成樹脂製シート材や、或いは、これらの複合材等によって、全体略矩形状（或いは、その他の形状でも良い）に形成され、しかも、この折畳みシート２に複数の谷折り線５と山折り線６とを略縦横方向に沿って適宜配することで、複数のシート片２が形成され、このシート片２夫々が重なるように折畳め、更に、この折畳み状態からスムーズに展開状態に移行できるよう構成されている。
【００２０】
尚、本考案の折畳み展開可能な反射板の具体的構成、形状、寸法、材質、折畳みシートの折畳み完成時露出部分に設けた操作片の具体的構成、形状、寸法、材質、折畳みシート２への配置状態、具体的な関連情報の内容、折畳みシート２の具体的構成、形状、寸法、材質、具体的な折畳み手段、具体的な関連情報の内容、折畳みシートの折畳み完成時を覆う収納カバー３の具体的構成、形状、寸法、材質、ホルダー４の具体的構成、形状、寸法、材質、配設位置、数等谷折り線５の具体的構成、形状、寸法、配設位置、数、山折り線６の具体的構成、形状、寸法、配設位置、数、シート片５の具体的構成、形状、寸法、材質、配設位置、数等は図示例のもの等に限定されることなく、適宜自由に設定、変更できるものである。
【図面の簡単な説明】
【００２１】
【図１】本考案の折畳み展開可能な携帯用反射板を例示する展開図である。
【図２】本考案の折畳み展開可能な携帯用反射板を例示する折畳み状態の斜視図である。
【符号の説明】
【００２２】
１    折畳み完成時露出部分に設けられた操作片
２    折畳みシート
３    折畳みシート完成時を覆う収納カバー
４    携帯用ホルダー
５    谷折り線
６    山折り線
７    シート片
【図１】
0003109887.tif 000003
【図２】
0003109887.tif 000004